(57)【要約】【課題】電話を掛けた相手が着信に気づかない場合にも着信要求者が相手と連絡が取れるようにする。【解決手段】端末Ｃのユーザγが、端末Ａに対して着信要求（発信）を行ったとき、端末Ａのユーザαが着信要求に対して所定時間以上応答しなかった時点で、端末Ａは近距離無線通信によりその近傍に存在する端末を探索する。端末Ａは、近傍の端末（ここでは端末Ｂ）の端末識別情報を得て、それが自端末内の電話帳に登録されていることを条件に、その端末識別情報を端末Ａへ通知する。これにより、ユーザγはユーザαの近くにユーザβが居ることがわかり、ユーザβの端末Ｂに対して連絡をとることにより、ユーザβを介してユーザαへの連絡をとることが可能となる。【選択図】図１
2008301177.tif 000002
【特許請求の範囲】
【請求項１】
それぞれ電話通信機能を備える第１、第２、第３の端末を備える電話通信システムであって、
第１、第２、第３の端末の各々は、
電話通信部と、
ユーザに情報を知らしめる報知手段と、
電話帳データを記憶する記憶部と、
各部を制御する制御部とを備え、
第１の端末の制御部は、その電話通信部により第２の端末に対して着信要求を発行したあと、第２の端末のユーザが所定時間以上応答しなかったことに起因して第２の端末がその近傍に存在する第３の端末を探索した結果得られた第３の端末の端末識別情報が応答されてきたとき、第２の端末の近傍に存在する第３の端末が発見された旨を前記報知手段により第１の端末のユーザに報知し、
第２の端末の制御部は、その電話通信部により着信要求を受けて所定時間ユーザによる応答がないとき、前記近距離無線通信部により近距離範囲内に存在する第３の端末を探索し、当該第３の端末からその端末識別情報を受信したとき、前記着信要求を発行した第１の端末に前記端末識別情報を通知し、
第３の端末の制御部は、第２の端末から前記近距離無線通信部による探索を受けて、自端末の端末識別情報を返送する
ことを特徴とする電話通信システム。
【請求項２】
電話通信部と、
ユーザに情報を知らしめる報知手段と、
電話帳データを記憶する記憶部と、
各部を制御する制御部とを備え、
前記制御部は、前記電話通信部により着信要求を発行したあと、相手端末のユーザが所定時間以上応答しなかったことに起因して相手端末がその近傍に存在する端末を探索した結果得られたその端末の端末識別情報が応答されてきたとき、当該端末識別情報が自端末内の電話帳に登録されているか否かをチェックし、登録されていることを条件として、相手端末のユーザが所定時間以上応答しなかったことに起因して当該相手端末の近傍に存在する端末が発見された旨を前記報知手段により自端末のユーザに報知する
ことを特徴とする携帯電話端末。
【請求項３】
前記制御部は、前記相手端末との通信を停止した後、自端末のユーザに対する報知に対して所定の操作を受けたとき、前記近傍の端末に対して着信要求を行う請求項２に記載の携帯電話端末。
【請求項４】
前記制御部は、前記相手端末との通信が停止される前に、自端末のユーザから所定の操作を受けたとき、相手端末に対して前記近傍の端末との通話の中継を行う旨の中継指示を行う請求項２に記載の携帯電話端末。
【請求項５】
電話通信部と、
近距離無線通信部と、
電話帳データを記憶する記憶部と、
各部を制御する制御部とを備え、
前記制御部は、前記電話通信部により着信要求を受けて所定時間ユーザによる応答がないとき、前記近距離無線通信部により近距離範囲内に存在する端末を探索し、当該端末からその端末識別情報を受信したとき、受信した端末識別情報が自端末内の電話帳に登録されているか否かをチェックし、登録されていることを条件として、前記着信要求を発行した端末に前記端末識別情報を通知する
ことを特徴とする携帯電話端末。
【請求項６】
前記制御部は、前記端末識別情報を前記着信要求を発行した端末に通知した後、相手端末から前記近傍の端末との通話の中継を行う旨の中継指示を受けたとき、前記近距離無線通信部により前記近傍の端末との間で通話のための通信路を確立し、前記着信要求を発行した端末との間の通話を中継することを特徴とする請求項５に記載の携帯電話端末。
【発明の詳細な説明】
【技術分野】
【０００１】
本発明は、端末間で電話通信を行う電話通信システムおよび携帯電話端末に関する。
【背景技術】
【０００２】
近年、携帯電話端末の普及に伴い、多数の人々が携帯電話端末を所有し持ち歩いている。そのため、以前に比べて格段に連絡が取りやすくなっている。とはいえ、ユーザは常に携帯電話端末を見ているわけではなく、不要なときは携帯電話端末の存在は気にしていない。そのため、前触れも無く来る着信要求には、携帯電話端末は音や画像、光、振動などにより、携帯電話端末のユーザに着信要求があることを伝える工夫がされている。
【０００３】
しかし、携帯電話端末が鞄の中に入っていたり、ユーザが走るなどの何か激しい動作を行っているなどの理由のため、着信に気づかないことがある。このような着信に気づかない状態は、着信要求（発信）を行った側にも、着信要求を受けた側（端末ユーザ）にとっても望ましい状態ではない。
【０００４】
このような問題に対して、携帯電話端末本体とは別に、携帯電話端末のユーザの服のポケットなどに収容する等、身体に装着する携帯用受信機が提案されている（特許文献１参照）。この携帯用受信機をユーザが身につけておくことにより、携帯電話端末本体が鞄などに入っていても、携帯電話端末本体が着信要求を携帯用受信機に転送することによりユーザが着信に気づくことが期待できる。
【特許文献１】特開平０８−４７０４９号公報
【発明の開示】
【発明が解決しようとする課題】
【０００５】
しかし、特許文献１に記載の発明では、携帯電話端末本体以外にさらに携帯用受信機を必要とするため、端末コスト増を招来するのみならず、端末本体と共に携帯用受信機を携帯し、かつ、受信機は身に付けておかなければならず、取り扱いが煩雑となる。
【０００６】
また、ユーザが激しい運動をしているなどの場合は、携帯用受信機による着信報知にも気づかないことが考えられる。
【０００７】
本発明は、このような背景においてなされたものであり、電話を掛けた相手が着信に気づかない場合にも着信要求者が相手と連絡が取れるようにすることを企図する。
【課題を解決するための手段】
【０００８】
本発明の電話通信システムは、電話通信機能を備える第１、第２、第３の端末を備える電話通信システムであって、第１、第２、第３の端末の各々は、電話通信部と、ユーザに情報を知らしめる報知手段と、電話帳データを記憶する記憶部と、各部を制御する制御部とを備える。第１の端末の制御部は、その電話通信部により第２の端末に対して着信要求を発行したあと、第２の端末のユーザが所定時間以上応答しなかったことに起因して第２の端末がその近傍に存在する第３の端末を探索した結果得られた第３の端末の端末識別情報が応答されてきたとき、第２の端末の近傍に存在する第３の端末が発見された旨を前記報知手段により第１の端末のユーザに報知する。第２の端末の制御部は、その電話通信部により着信要求を受けて所定時間ユーザによる応答がないとき、前記近距離無線通信部により近距離範囲内に存在する第３の端末を探索し、当該第３の端末からその端末識別情報を受信したとき、前記着信要求を発行した第１の端末に前記端末識別情報を通知する。第３の端末の制御部は、第２の端末から前記近距離無線通信部による探索を受けて、自端末の端末識別情報を返送する。
【０００９】
この構成により、第１の端末のユーザが第２の端末に電話を掛けたとき、第２の端末のユーザが着信に気づかない場合、第２の端末が近傍にいる可能性のある第３の端末を探索する。第３の端末が存在すれば、その端末の端末識別情報を第２の端末が自動的に取得して、第１の端末に応答する。これによって、第１の端末のユーザは第３の端末のユーザを介して、その近くにいる第２の端末のユーザに対して連絡をとることが可能となる。
【００１０】
なお、第１の端末は、着信要求を発行したあと、第２の端末のユーザが所定時間以上応答しなかったことに起因して第２の端末がその近傍に存在する第３の端末を探索した結果得られた第３の端末の端末識別情報が応答されてきたとき、当該端末識別情報が自端末内の電話帳に登録されているか否かをチェックし、登録されていることを条件として、第３の端末が発見された旨を前記報知手段により自端末のユーザに報知することが好ましい。これにより、着信要求者と第３の端末のユーザが知り合いでない場合には着信要求者への第３の端末の存在の報知が抑制される。
【００１１】
また、第２の端末においても、第３の端末の端末識別情報を得たとき、当該端末識別情報が第２の端末の電話帳に登録されていることを条件として、第１の端末へ通知することが好ましい。これにより、第２の端末のユーザと第３のユーザとが知り合いでない場合には第２の端末から第１の端末への端末識別情報の通知が抑制される。
【００１２】
第１の端末の制御部は、第２の端末との通信を停止した後、第１の端末のユーザに対する報知に対して所定の操作を受けたとき、前記第３の端末（第２の端末の近傍の端末）に対して着信要求を行うことができる。これにより、第１の端末のユーザは第３の端末の電話番号を入力したり電話帳から選択したりする手間が省かれる。
【００１３】
また、第１の端末の制御部は、第２の端末との通信が停止される前に、自端末のユーザから所定の操作を受けたとき、第２の端末に対して第３の端末との通話の中継を行う旨の中継指示を行うようにすることもできる。これにより、第１の端末は、第２の端末へとの通信を切断することなく、第２の端末を中継器として第３の端末との間で電話通信路が確立される。
【発明の効果】
【００１４】
本発明によって、電話端末が鞄の中にあるなどの理由により、電話端末の着信に気づかない相手に対して、その近傍の電話端末を利用することにより、本来連絡を取りたかった相手と連絡を取ることができるようになる。
【発明を実施するための最良の形態】
【００１５】
以下、本発明の好適な実施の形態について図面を参照しながら詳細に説明する。ここで説明する内容はあくまで一例であり、本発明はこれに限定されるものではない。
【００１６】
図１に、本実施の形態における電話通信システム全体の概略構成を示す。この電話通信システムは少なくとも３台の電話端末（ここでは携帯電話端末）１０１，１０２，１０３により構成され、これらの間が無線通信インタフェースにより接続される。無線通信インタフェースは、基地局１０４，１０５および携帯電話網等のネットワーク１０６による携帯電話通信インタフェースと、近距離の範囲内に存在する端末同士の間で直接的に無線通信を行う近距離無線通信インタフェースである。近距離無線通信インタフェースとしては本実施の形態ではＢｌｕｅｔｏｏｔｈ（登録商標）を想定している。但し、近距離の範囲内にある端末同士の間で直接的に無線通信が行える通信インタフェースであればＢｌｕｅｔｏｏｔｈ（登録商標）に限るものではない。以下、携帯電話端末は単に端末ともいう。
【００１７】
このシステムにおいて、図１中の端末Ｃ（１０３）のユーザγが、端末Ａのユーザαに連絡を取りたいと考え、ユーザαが所有している端末Ａ（１０１）に対して着信要求（発信）を行った場合を想定する。このとき、端末Ａのユーザαは自身の端末Ａを鞄の中に収納しており、着信に気づかないとする。ユーザαが着信要求に対して所定時間以上応答しなかった時点で、端末Ａはその近傍に存在する端末を探索する。ここに「近傍」とは一緒に居て口頭で連絡がとれる範囲であり、例えば、端末Ａから遠くても１０ｍ程度以内、好ましくは数メートル以内である。近傍の端末（ここでは端末Ｂ）が発見されたら、その端末識別情報を得て、所定の条件下で、その端末識別情報を端末Ａへ通知するものである。
【００１８】
これに応じて、端末Ａの近傍に存在する端末Ｂが発見された旨を端末Ｃがそのユーザγに知らしめることにより、ユーザγは連絡をとろうとしているユーザαの近くにユーザβが居ることがわかる。そこで、ユーザγは、通知された端末識別情報に基づいて端末Ｃからユーザβの端末Ｂに対して連絡をとることにより、端末Ｂのユーザβを介してユーザαへの連絡をとることが可能となる。
【００１９】
図２に、図１に示した各端末１０１〜１０３に対応する携帯電話端末２００の内部の機能を表したブロック図を示す。
【００２０】
制御部２０２は、例えば中央処理装置（ＣＰＵ）を含み、ＲＯＭ２０９に記憶されたプログラムに基づいて、バス２０１を介して端末各部の制御を司る部位である。バス２０１は、制御データの他、画像データや音声データ、メールデータなど、データを伝送する際の伝送ラインである。
【００２１】
通信部２０３は、アンテナ２１５を介して、画像データや音声データ、メールデータなどのデータを、基地局との間で無線で送受信する部位である。
【００２２】
表示部２０４は、液晶ディスプレイ、有機ＥＬ等の表示デバイスに、文字、画像、動画等の各種情報を表示する部位である。
【００２３】
操作部２０５は、テンキー、制御キー等の各種のキーなどからのユーザの指示やデータを取り込む部位である。
【００２４】
メモリ２０８は、電話帳データや、画像、メールデータ、メッセージなど種々のデータを記憶する読出し・書込み可能なメモリである。少なくとも一部に、データを不揮発的に記憶する領域を含む。本実施の形態の電話帳データには、少なくとも相手の電話番号、相手の名称が含まれる。
【００２５】
ＲＯＭ２０９は、制御部２０２を動作させるためのプログラムコード等の各種のプログラム、端末のＩＤなど重要なデータを不揮発的に記憶する、読出し専用のメモリである。
【００２６】
スピーカ２１１は、電気信号を音声に変換して放音する部位である。マイク２１２は、音声を電気信号に変換する部位である。
【００２７】
近距離無線通信部２１３は、アンテナ２１４を介して、Ｂｌｕｅｔｏｏｔｈ（登録商標）などの近距離間でのみ無線通信により他の端末との間でデータのやり取りを可能とする部位である。
【００２８】
これらのブロックは、全て図示しない電源回路から供給される電力によって動作する。
【００２９】
携帯電話端末には、他の電話機から発信される着信要求を受けたときその旨を携帯電話端末のユーザに知らせるための報知手段を備える。このような報知手段としては、着信音や着信メロディー等の音を出力するスピーカ２１１、画像や文字等を表示するディスプレイを含む表示部２０４、所定の色の発光を行うＬＥＤ、振動を発するバイブレータ（いずれも図示せず）などを含みうる。
【００３０】
以下、図１のシステムの典型的なユースケースの動作について、図３のシーケンス図を参照しながら説明する。図３は、各端末Ａ〜Ｃについて、上から下方向へ時系列の動作例を示している。
【００３１】
今、第１の端末である端末Ｃ（１０３）のユーザγが、第２の端末である端末Ａのユーザαに連絡を取ろうとして、ユーザαが所有している端末Ａ（１０１）に対して着信要求（発信）を行ったとする（Ｓ１１）。この着信要求は、ユーザγの端末Ｃが通信を行っている基地局１０５、ネットワーク１０６、ユーザαの端末Ａが通信を行っている基地局１０４を介して、ユーザαの端末Ａに対して行われる。着信要求を受けたユーザαの端末Ａは、上述したような端末に備えられた音や光、振動等を利用した報知手段によってユーザαに対して着信要求があることを報知する。
【００３２】
着信要求を受けた端末Ａは、従来の方法（音を出したり、ディスプレイやＬＥＤを発光させる、振動するなど）を利用してそのユーザαに着信要求があったことを報知しようとする。しかし、着信要求を受けてから所定時間が経過しても、ユーザαが着信要求に対して応答しない（すなわち端末Ａがオフフック状態とならない）場合（Ｓ２１，Ｙｅｓ）、端末ＡはＢｌｕｅｔｏｏｔｈ（登録商標）などの近距離無線通信を使用して近くの他の携帯電話端末を探索する（Ｓ２２）。近距離無線通信によって、第３の端末であるユーザβの端末Ｂが発見された場合（Ｓ２３，Ｙｅｓ）、端末Ａは端末Ｂのユーザβの端末識別情報を端末Ｂから受け取る。端末識別情報は、携帯電話番号、または、個々の端末を識別できる任意の情報である。
【００３３】
端末Ａは、受け取った端末識別情報がユーザαの端末Ａ内の電話帳に登録されているか否かをチェックする（Ｓ２４）。登録されていれば、ユーザβはユーザαの知り合いであると判断される。そこで、端末Ａは、通信部２０３を介して、着信要求を行っているユーザγの端末Ｃとの間で、ユーザの指示によらず自動的に呼を張り（Ｓ１２）、ユーザβの端末識別情報を端末Ｃへ通知する。端末Ｃは、端末Ｂの携帯電話端末情報が電話帳に登録してあるか否かをチェックする（Ｓ１４）。登録があれば（Ｓ１５，Ｙｅｓ）、端末Ｃは、そのユーザγに対して、ユーザαの近くにユーザβがいることをメッセージの表示または音声出力により報知する（Ｓ１６）。この際、端末Ｃはそのユーザγに対して、端末Ｂの携帯電話端末情報やそれに付随する情報（例えば電話帳から得られる情報）を表示してもよい。ただし、端末Ｃが端末Ｂの携帯電話番号を記憶している限り、それらの情報は必ずしもユーザに提示する必要はない。
【００３４】
なお、端末識別情報が携帯電話番号以外の情報である場合、端末は、電話帳から対応する携帯電話番号を取得して利用することができる。
【００３５】
このような報知を受けたユーザγは、ユーザαの端末Ａに対する着信要求をやめ、その後、端末識別情報が通知された端末Ｂのユーザβに対して、端末Ｃから電話による着信要求（発信）を行うことが可能となる。このときの発信は、端末Ｃの電話帳に登録されているユーザβの端末Ｂの携帯電話番号に対して行われる。ユーザβがユーザγの着信要求に応えれば、ユーザγは、ユーザβを通じて、例えば口頭でユーザαに連絡を行うことが可能となる。すなわち、着信要求を行っている端末Ｃのユーザγは示された情報に基づいて、端末Ｂのユーザβに連絡を取り、ユーザβを介して、そのすぐ近くにいるはずの本来連絡を取りたい相手（ユーザα）に対して連絡を取ることができるようになる。
【００３６】
なお、着信要求を受けている端末Ａが近隣の端末を探索する際、端末Ａの電話帳に登録されている電話番号を持った他の端末が、近距離無線通信で全く見つからない場合もある。このような場合には、着信要求を受けている端末Ａは、着信要求を行っている端末Ｃに対して、近くにいる携帯電話端末の情報を通知することはしない。その際、端末Ａは、着信要求を行っている端末Ｃとの間に呼を張って、近くに他に連絡が取れそうな他の端末が無いことを通知してもよい。
【００３７】
また、着信要求を行っている端末Ｃに登録されていない他の端末の電話番号のみが、着信要求を受けている端末Ａの近傍にいる端末として通知される場合もある。図１の場合、他の端末Ｂのユーザβと着信要求を行っているユーザγは知り合いでは無いと判断できる。この場合にも、着信要求を行っている端末Ｃは、ユーザに対して他に連絡を取れる端末が無いことを報知するようにしてもよい。
【００３８】
図４は、着信要求を受けた端末Ａの本実施の形態に係る処理のフローチャートである。端末Ａが端末Ｃ（ユーザγ）からの着信要求を受けたとき（Ｓ３０１）、端末Ａはそのユーザαに対して着信要求があることを報知する。その着信要求にユーザαが所定時間以内に応答すれば（Ｓ３０２，Ｎｏ）、端末Ａは着信要求を行ってきた端末Ｃとの間に呼を張って通常の処理を行う（Ｓ３０８）。
【００３９】
もし、所定時間以内にユーザαが応答しなければ（Ｓ３０２，Ｙｅｓ）、端末Ａは近距離無線通信で近傍に他の端末Ｂがいないかを探す（Ｓ３０３）。近傍に他の端末Ｂがいなければ（Ｓ３０４）、端末Ａは、何もせずにフローを終了する。この代わりに、着信要求を行ってきた端末Ｃとの間に呼を張って、他の端末は近くに存在しないことを表示または音声によるメッセージ等で端末Ｃのユーザγに対し報知して終了してもよい。
【００４０】
端末Ａは、近傍に存在する他の端末Ｂを検出した場合（Ｓ３０４，Ｙｅｓ）、端末Ｂからその端末識別情報を近距離無線通信により受信する。
【００４１】
そこで、端末Ａは、受信した端末識別情報に基づいて自己の電話帳をチェックする（Ｓ３０５）。端末Ｂの端末識別情報が端末Ａ内の電話帳に見つからなければ（Ｓ３０５，Ｎｏ）、近傍にユーザαの知り合いはいないと判断し、何もせずにこのフローを終了する。この際、上記と同様に、着信要求を行ってきた端末Ｃとの間に呼を張って、自動音声応答により他の端末は近くにいないことを通知して終了してもよい。
【００４２】
もし、他の端末Ｂが端末Ａ内の電話帳に登録されていれば（Ｓ３０５，Ｙｅｓ）、他の端末Ｂのユーザβは、ユーザαの知り合いだと判断することができる。そこで、端末Ａは、ユーザの指示によらず、通信部２０３による携帯電話通信により、着信要求を行っている端末Ｃとの間に呼を確立し（Ｓ３０６）、端末Ｃへ端末Ｂの端末識別情報を通知し（Ｓ３０７）、このフローを終了する。端末識別情報の通知の方法としては例えば、いわゆるトーン信号と呼ばれるＤＴＭＦ(Dual Tone Multi-Frequency)による応答を利用することができる。
【００４３】
なお、ステップＳ３０３〜３０７の処理は、着信要求を受けた端末Ａが留守番電話モードに切り替わる際に呼を張った機会を利用して行うようにしてもよい。その場合、上記「所定の時間」は留守番応答に移行する設定時間に一致する。
【００４４】
また、着信要求を受けたときに所定時間以上応答しなかった場合に本実施の形態の動作モードに移行するか否かをユーザが選択的に設定できるようにしてもよい。ユーザが「否」の設定を行っている場合には、ステップＳ３０２の条件が成立した場合であってもＳ３０３へ進まず、ステップＳ３０８へも進まない。また、「所定時間」はユーザが可変設定できるようにしてもよい。
【００４５】
また、着信要求を行っている端末Ｃに対して、端末Ａが取得した他の端末Ｂの情報を通知するかどうかは、端末Ｂのユーザβと着信要求を行っている端末Ｃのユーザγが、ユーザαの端末Ａの電話帳において同じグループに設定されていることを条件として、この条件が満たされた場合にユーザβとユーザγは知り合いだと判断して、当該通知を許可するようにしてもよい。
【００４６】
図５は、着信要求を発行している端末Ｃの本実施の形態に係る処理のフローチャートである。
【００４７】
図１における端末Ｃのユーザγが、連絡を取りたい相手であるユーザαの端末Ａに着信要求を行ったとき（Ｓ４０１）、ユーザγが着信要求を続ける限り、着信要求に応答が有るまで端末Ａに対する着信要求を繰り返す。端末Ａから着信応答があれば（Ｓ４０２，Ｙｅｓ）、それが通常の着信応答か否かを判断する（Ｓ４０３）。これは、その着信応答が例えば上記のＤＴＭＦ信号のような所定の信号による応答か否か、に基づいて判断することができる。相手ユーザの通常の着信応答であれば、通常の通話処理を開始する（Ｓ４０７)。
【００４８】
通常の着信応答でなければ、すなわち、着信要求がされている端末Ａの近くに他の端末Ｂが存在するかどうかの情報（存在する場合にはその端末識別情報）を通知するための着信応答であれば（Ｓ４０３，Ｎｏ）、端末Ａからその情報を取得する（Ｓ４０４）。端末Ｂの端末識別情報が取得されたら、その情報が、端末Ｃ内の電話帳に登録されているかどうかをチェックする（Ｓ４０５）。登録されていなければ、ユーザγに対して何もせずにこのフローを終了する。
【００４９】
端末Ｂの端末識別情報が端末Ｃの電話帳に登録されていれば（Ｓ４０５，Ｙｅｓ）、ユーザγに対して、端末Ａの近傍に端末Ｂが存在する（すなわちユーザβが居る）ことを、例えばメッセージの表示等の所定の方法により、ユーザγに報知する（知らしめる）（Ｓ４０６）。これにより、ユーザが端末Ｂにおいて所定の操作を行って、端末Ｂ宛てに連絡をとることにより、着信要求を行っている端末Ａのユーザαに連絡を取れる可能性があることが理解される。この場合、ユーザγに情報を知らしめる報知手段として、例えば図６（ａ）に示すような画面において、端末Ｃはその表示部の画面にユーザγが端末Ｂのユーザβに発信するか否かを問い合わせるメッセージを表示してユーザγの指示操作を勧誘し、操作部からからのユーザの指示が「はい」であれば端末Ｂへの発信を行うようにしてもよい。このようなメッセージは予めＲＯＭ２０９またはメモリ２０８に格納しておく。メッセージ中の「○○」は電話帳の登録データから抽出することができる。このような画面表示の代わりに、図６（ｂ）に示すように音声合成等により生成された音声により、当該メッセージを出力して、ユーザの指示操作を勧誘するようにしてもよい。音声合成手段は制御部２０２がソフトウェアにより実現するか、別途、音声合成用ＩＣ等を設ける。
【００５０】
なお、着信要求を受けた端末Ａの近くに存在すると思われる端末Ｂの存在を端末Ｃのユーザγに報知するのは、ユーザγが着信要求を諦めてからでもよく、あるいは、ユーザに報知できる準備が整い次第でもよい。また、着信要求を受けた端末Ａが端末Ｂの情報の通知を受けた後に、ユーザαが通常の着信応答に応じた場合、ユーザγに端末Ｂの存在を通知せずにこのフローを終了するようにしてもよい。
【００５１】
図７は、図３の処理シーケンスの変形例を示している。図３と同様の処理ステップには同じ参照符号を付して、重複した説明を省略する。図３の例では、ステップＳ１６で端末Ｂの存在をユーザγに報知した時点で通信を終了しているが、ユーザが通信を停止することなく所定の操作を行ったとき、端末Ａに対して端末Ｂとの通話の中継を行う旨の指示（中継指示）を行う（Ｓ１７）。これに応じて、端末Ａは、近距離無線通信を用いて、端末Ｂと音声通話のための近距離無線通信路を確立し（Ｓ２６）、端末Ｃと端末Ｂとの間の音声通話が中継される（Ｓ１８）。端末Ａがこのような中継動作を行っていることは端末Ａのユーザαは気づいてないが、このような処理が行われうることはユーザαは了解済みであるものとする。このような中継指示を受け入れるかどうかをユーザが予め端末に設定できるようにしてもよい。端末Ａはそのような中継指示を受けたとき、当該設定内容に基づいて中継動作を行うかどうかを判断する。
【００５２】
図６に示したと同様、図７の場合にも、例えば図８（ａ）に示すような画面において、端末Ｃはその表示部の画面にユーザγが端末Ａに対して端末Ｂへの中継を依頼するか否かを問い合わせるメッセージを表示し、ユーザの操作を勧誘するようにしてもよい。また、このような画面表示の代わりに、図８（ｂ）に示すように音声により、当該メッセージを出力して、ユーザの指示操作を勧誘するようにしてもよい。
【００５３】
以上、本発明の好適な実施の形態について説明したが、上記で言及した以外にも種々の変形、変更を行うことが可能である。例えば、着信要求を発行する端末は携帯電話端末として説明したが、固定電話端末であってもよい。
【００５４】
また、端末Ａは近距離無線通信により近傍の端末Ｂの端末識別情報を得たとき、それが端末Ａ内の電話帳に登録されていれば端末Ａに通知する構成としたが、端末Ａが近傍の端末Ｂを探索するとき、まず端末Ａが自身の端末識別情報を端末Ｂに知らせて、端末Ｂは端末Ａの端末識別情報が自己の電話帳に登録されていることを条件に自己の端末識別情報を端末Ａに知らせるようにしてもよい。
【００５５】
さらに言えば、端末Ｂの端末識別情報を端末Ｃのユーザγが知ることができるための条件としては、以下のいずれかの場合が考えられる。
（１）端末Ａ，Ｃはともに自己の電話帳に端末Ｂの情報を登録している。
（２）端末Ｂは自己の電話帳に端末Ａと端末Ｃの情報を登録している。
（３）端末Ｂは自己の電話帳に端末Ａの情報を登録しており、端末Ｃは自己の電話帳に端末Ｂの情報を登録している。
（４）端末Ａは自己の電話帳に端末Ｂの情報を登録しており、端末Ｂは自己の電話帳に端末Ｃの情報を登録している。
（５）端末Ａ，Ｂはそれぞれ自己の電話帳に相手の情報を登録しており、端末Ｂと端末Ｃはそれぞれ自己の電話帳に相手の情報を登録している。
【図面の簡単な説明】
【００５６】
【図１】本発明の実施の形態における電話通信システム全体の概略構成を示す図である。
【図２】図１に示した各端末に対応する携帯電話端末の内部の機能を表したブロック図である。
【図３】図１のシステムの典型的なユースケースの動作を表すシーケンス図である。
【図４】本実施の形態における着信要求を受けた端末の処理のフローチャートである。
【図５】本実施の形態における着信要求を発行している端末の本実施の形態に係る処理のフローチャートである。
【図６】図６の処理における画面例および音声出力例を示す図である。
【図７】図３の処理シーケンスの変形例を示すシーケンス図である。
【図８】図７の処理における画面例および音声出力例を示す図である。
【符号の説明】
【００５７】
１０１，１０２，１０３…電話端末、１０４，１０５…基地局、１０６…ネットワーク、２００…携帯電話端末、２０１…バス、２０２…制御部、２０３…通信部、２０４…表示部、２０５…操作部、２０８…メモリ、２１１…スピーカ、２１２…マイク、２１３…近距離無線通信部、２１４，２１５…アンテナ
【図１】
2008301177.tif 000003
【図２】
2008301177.tif 000004
【図３】
2008301177.tif 000005
【図４】
2008301177.tif 000006
【図５】
2008301177.tif 000007
【図６】
2008301177.tif 000008
【図７】
2008301177.tif 000009
【図８】
2008301177.tif 000010